(57)【要約】【課題】複数の電磁誘導加熱手段を備えてなる電気炊飯器において、高出力時にも他方側電磁誘導加熱手段の通電時間を短かくすることなく、可及的に発振音を低減させ得るようにする。【解決手段】電磁誘導加熱可能な飯器と、該飯器を収納する炊飯器本体と、該炊飯器本体側にあって上記収納された飯器を電磁誘導加熱する複数の電磁誘導加熱手段と、該複数の電磁誘導加熱手段相互を所定のＯＮ，ＯＦＦタイミングで駆動制御する加熱制御手段とを備えてなる電気炊飯器であって、上記複数の電磁誘導加熱手段相互のＯＮ，ＯＦＦパターンは、何れか一つの電磁誘導加熱手段のＯＮ，ＯＦＦパターンの内のＯＦＦパターンの終了タイミングを基準として他の誘導加熱手段のＯＮパターンを設定し、該ＯＮパターンを上記基準としたＯＦＦパターンに対応させるようにした。【選択図】        図６
2004236859.tif 000002
【特許請求の範囲】
【請求項１】
電磁誘導加熱可能な飯器と、該飯器を収納する炊飯器本体と、該炊飯器本体側にあって上記収納された飯器を電磁誘導加熱する複数の電磁誘導加熱手段と、該複数の電磁誘導加熱手段相互を所定のＯＮ，ＯＦＦタイミングで駆動制御する加熱制御手段とを備えてなる電気炊飯器であって、上記複数の電磁誘導加熱手段相互のＯＮ，ＯＦＦパターンは、何れか一つの電磁誘導加熱手段のＯＮ，ＯＦＦパターンの内のＯＦＦパターンの終了タイミングを基準として他の誘導加熱手段のＯＮパターンを設定し、該ＯＮパターンを上記基準としたＯＦＦパターンに対応させるようにしたことを特徴とする電気炊飯器。
【請求項２】
通常の加熱出力工程では、複数の加熱手段相互のＯＮパターンが重ならないように構成されていることを特徴とする請求項１記載の電気炊飯器。
【請求項３】
高加熱出力工程では、複数の加熱手段相互のＯＮパターンが所定期間重なるように構成されていることを特徴とする請求項１記載の電気炊飯器。
【請求項４】
高加熱出力工程は、昇温工程、炊き上げ工程又は再加熱工程等のフルパワー加熱工程であることを特徴とする請求項３記載の電気炊飯器。
【請求項５】
複数の電磁誘導加熱手段は、炊飯器本体の底部にあって飯器の底部を誘導加熱する第１のワークコイルと炊飯器本体の肩部にあって飯器開口縁部部分と内蓋放熱板部分を加熱する第２のワークコイルとからなることを特徴とする請求項１，２，３又は４記載の電気炊飯器。
【発明の詳細な説明】
【０００１】
【発明の属する技術分野】
本願発明は、複数のワークコイル等電磁誘導加熱手段を備えた電磁誘導加熱式の電気炊飯器の構成に関するものである。
【０００２】
【従来の技術】
従来、この種の電気炊飯器において、上記複数の電磁誘導加熱手段、例えば飯器底部側第１のワークコイルＬ１と飯器肩部（又は側部）側第２のワークコイルＬ２を駆動するに際しては、一般に図８のタイムチャートに示すように、そのデューティー比を決めるｎ／１６（秒）の１６秒（この時間は任意）のカウント最初のタイミングで共にＯＮにし、メニューに応じて設定されたｎ秒の経過に対応してＯＦＦにするＯＮ，ＯＦＦ制御パターンが採用されていた。
【０００３】
ところが、このような構成の場合、同時に第１，第２の２組のワークコイルＬ１，Ｌ２に通電され、しかも第２のワークコイルＬ２は、その全ＯＮ期間ｎの全てが第１のワークコイルＬ１のＯＮ期間ｎと重複したものとなる。そのため、両ワークコイルＬ１，Ｌ２が共振して発振音（うなり）が高くなる一方、上記第１，第２のワークコイルＬ１，Ｌ２の出力の設定に当たっては、一般家庭における１つのコンセントからの許容最大消費電力１５００（Ｗ）の範囲で各ワークコイルＬ１，Ｌ２の出力値を適切に分配して設定しなければならず、各ワークコイルＬ１，Ｌ２それぞれの出力を十分に大きくすることができなかった。
【０００４】
そこで、このような問題を解決するために、例えば上記のような複数のワークコイルＬ１，Ｌ２の少なくともＯＮタイミングが重ならないように常時切換えて動作させるようにしたものがある（例えば特許文献１参照）。
【０００５】
【特許文献１】
特開平８−１９６４１７号公報（第２頁〜第６頁、図１〜図６参照）
【０００６】
【発明が解決しようとする課題】
このような構成にすると、各ワークコイルＬ１，Ｌ２のＯＮ期間が重ならないために、発振音を小さくできるとともに、一応各ワークコイルＬ１，Ｌ２に対する供給電力を最大許容消費電力１５００（Ｗ）まで大きくすることができる。
【０００７】
しかし、このような複数のワークコイルＬ１，Ｌ２各々のＯＮタイミングが重複しないようにを完全に切り換えてＯＮ，ＯＦＦ制御する構成では、何れかのワークコイルの加熱出力（デューティー比：ｎ／１６）を大きくしようとすると、その分だけ他方のワークコイルの加熱出力（デューティー比：ｎ／１６）が小さくなり、各ワークコイルＬ１，Ｌ２の加熱出力のバランスを取ることが難しい。
【０００８】
特に、各ワークコイルＬ１，Ｌ２の加熱出力を相乗させたトータルの加熱出力を増大させようとしても、それができないために、十分な加熱性能のものを実現できない欠点がある。
【０００９】
本願発明は、このような問題を解決するためになされたもので、上記複数の電磁誘導加熱手段相互のＯＮ，ＯＦＦパターンは、基本的に何れか一つの電磁誘導加熱手段のＯＮ，ＯＦＦパターンの内のＯＦＦパターンの終了タイミングを基準として他の電磁誘導加熱手段のＯＮパターンを設定し、該ＯＮパターンを上記基準としたＯＦＦパターンに対応させるようにすることにより、上述のような問題を解決した電気炊飯器を提供することを目的とするものである。
【００１０】
【課題を解決するための手段】
本願発明は、同目的を達成するために、次のような課題解決手段を備えて構成されている。
【００１１】
（１）  第１の課題解決手段
この発明の第１の課題解決手段は、電磁誘導加熱可能な飯器と、該飯器を収納する炊飯器本体と、該炊飯器本体側にあって上記収納された飯器を電磁誘導加熱する複数の電磁誘導加熱手段と、該複数の電磁誘導加熱手段相互を所定のＯＮ，ＯＦＦタイミングで駆動制御する加熱制御手段とを備えてなる電気炊飯器であって、上記複数の電磁誘導加熱手段相互のＯＮ，ＯＦＦパターンは、何れか一つの電磁誘導加熱手段のＯＮ，ＯＦＦパターンの内のＯＦＦパターンの終了タイミングを基準として他の誘導加熱手段のＯＮパターンを設定し、該ＯＮパターンを上記基準としたＯＦＦパターンに対応させるようにしたことを特徴としている。
【００１２】
このような構成によると、例えば制御時間の長い通常の加熱出力状態では複数のワークコイル等電磁誘導加熱手段を相互に重ならないように駆動することによって、可及的に共振による発振音を低減し、一方炊き上げ工程等の高加熱出力を必要とする工程では、出力設定上必要な期間のみ複数のワークコイルを重ねて駆動することによって容易に有効な高加熱出力を得るようにすることが可能となる。
【００１３】
しかも、それらが各電磁誘導加熱手段の基本とする加熱制御パターンを変更することなく、デューティー比設定用タイマーの設定時間を逆算方向に変えることのみで簡単に実現される。
【００１４】
（２）  第２の課題解決手段
この発明の第２の課題解決手段は、上記第１の課題解決手段の構成において、通常の加熱出力工程では、上記複数の加熱手段相互のＯＮパターンが重ならないように構成されていることを特徴としている。
【００１５】
このように、特に大きな加熱出力を必要としない例えば沸とう維持工程のような、制御時間が長く、通常の加熱出力で足りる工程では、上記複数の電磁誘導加熱手段相互のＯＮタイミングを重ならせることなく、それぞれの電磁誘導加熱手段個々の加熱出力で加熱制御し、可及的に発振音を生じさせないようにする。
【００１６】
（３）  第３の課題解決手段
この発明の第３の課題解決手段は、上記第１の課題解決手段の構成において、高加熱出力工程では、上記複数の加熱手段相互のＯＮパターンが所定期間重なるように構成されていることを特徴としている。
【００１７】
このような構成によると、上記複数の電磁誘導加熱手段各々の加熱出力が相乗した最大許容電力値の範囲内での所望の高加熱出力を得ることが可能となる。
【００１８】
（４）  第４の課題解決手段
この発明の第４の課題解決手段は、上記第１の課題解決手段の構成において、高加熱出力工程は、昇温工程、炊き上げ工程又は再加熱工程等のフルパワー加熱工程であることを特徴としている。
【００１９】
このような吸水加熱工程終了後の昇温工程、炊き上げ工程又は炊飯完了後の再加熱工程では、一般にフルパワーでの高加熱出力が要求される。
【００２０】
したがって、そのような工程では上記複数の電磁誘導加熱手段相互のＯＮタイミングを重ねることにより、各電磁誘導加熱手段の出力を効果的に相乗させて必要な高加熱出力を実現する。
【００２１】
（５）  第５の課題解決手段
この発明の第５の課題解決手段は、上記第１，第２，第３又は第４の課題解決手段の構成において、上記複数の電磁誘導加熱手段は、炊飯器本体の底部にあって飯器の底部を誘導加熱する第１のワークコイルと炊飯器本体の肩部にあって飯器開口縁部部分と内蓋放熱板部分を加熱する第２のワークコイルとからなることを特徴としている。
【００２２】
このように、上述の複数の電磁誘導加熱手段が、炊飯器本体の底部にあって飯器の底部を誘導加熱する第１のワークコイルと炊飯器本体の肩部にあって飯器開口縁部部分と内蓋放熱板部分を加熱する第２のワークコイルとからなっている場合、それら両ワークコイルは、相互に影響されにくい炊飯器本体の下部と上部の距離的に大きく離れた位置関係のものとなる。
【００２３】
したがって、同構成では、それらを上述のように高加熱出力時に同時にＯＮしたところで、余り影響はなく、大きな発振音は生じない。
【００２４】
【発明の効果】
以上の結果、本願発明の電気炊飯器によると、制御時間の長い通常の加熱出力状態では複数のワークコイル等電磁誘導加熱手段を重ならないように駆動することによって可及的に発振音を低減し、一方炊き上げ工程等の高加熱出力を必要とする工程では、複数のワークコイルを重ねて駆動することによって有効な高加熱出力を得るようにすることができるようになる。
【００２５】
しかも、それらが各電磁誘導加熱手段の基本となる加熱制御パターンを変更することなく、デューティー比設定用タイマーの設定時間を変えることだけで容易に実現される。
【００２６】
また、上述のフルパワー工程等高加熱出力工程は、沸とう維持工程等の通常の加熱出力工程に比べると、トータルの制御時間も短かく、発振音も問題になりにくい。
【００２７】
【発明の実施の形態】
（実施の形態１）
図１〜図６は、複数のワークコイルを備えた本願発明の実施の形態１に係る電磁誘導加熱式の電気炊飯器の構成を示している。
【００２８】
（炊飯器本体および蓋ユニット部分の構成）
先ず図１〜図３は、同電気炊飯器の炊飯器本体および蓋ユニット部分の構成を示している。
【００２９】
同電気炊飯器は、その基本的な構成として、飯器が収納された炊飯器本体と該炊飯器本体の上部を覆う蓋ユニットとからなり、該炊飯器本体内の飯器（内鍋）底部に同飯器（内鍋）を電磁誘導加熱する第１のワークコイル、また蓋ユニットの内側に２次側被誘導加熱部材として、上記飯器（内鍋）内への放熱性能の高い、磁性金属材料よりなる放熱板をそれぞれ備えているとともに、さらに上記炊飯器本体の肩部に、同放熱板を電磁誘導加熱する第２のワークコイルを備えた電磁誘導加熱式のものにより構成されている。
【００３０】
すなわち、該電気炊飯器は、先ず図１〜図３に示すように、全体として、内部に誘起されるうず電流によって自己発熱が可能なステンレス鋼材等の磁性金属材料（鉄系金属材料）よりなる飯器（内鍋）１と、該飯器１を任意に収納セットし得るように有底筒状に形成された合成樹脂製の内ケース（保護枠）２と、該内ケース２を保持する外装筺体である筒状の外ケース３と、該外ケース３と上記内ケース２とを結合一体化して上部が開口した有底筒状体に形成された炊飯器本体４の上部に開口部を覆って開閉可能に設けられた蓋ユニット５とから構成されている。
【００３１】
上記内ケース２の底壁部２ａには、図３に示すように、例えば半径方向の内側と外側に位置を異にして同心状に分巻された飯器加熱用の第１のワークコイルＬ１が設けられており、該第１のワークコイルＬ１は上記内ケース２内に収納された飯器１の底部１ｂの中央面側と側面側を均一に加熱することによって全体を加熱し、効率良く炊飯を行うようになっている。また、同内ケース２の側壁部２ａの上方寄り外面には、図２に示すように保温ヒータ６が設けられており、該保温ヒータ６は、保温時において上記飯器１の側面部１ａを加熱するようになっている。
【００３２】
また上記外ケース３は、例えば合成樹脂板で形成された上下方向に筒状のカバー部材（側板）３ａと、該カバー部材３ａの上端部に設けられた合成樹脂製の肩部材３ｂと、上記カバー部材３ａの底部に設けられた底部材３ｃとからなっている。そして、上記内ケース２の上端側にあって外周方向に鉤上に曲成された肩部材支持片２ｂの上部に対し、上記肩部材３ｂの内周側鉤状の肩片７を係合支持して一体化し、それらの上部に、２次側被電磁誘導加熱部材である放熱板１０を電磁誘導加熱するための１次側第２のワークコイルＬ２が設けられている。
【００３３】
該第２のワークコイルＬ２は、内周側に上方に起立した係合リブ８ａを有した断面Ｌ字形のコイルホルダー８の水平方向内周側から外周側にリッツ線が複数回巻成されたフラットリング構造のものとなっており、その上部および両側部は、断面逆Ｊの字形状の合成樹脂製のコイルカバー９によってカバーされ、上記内ケース２の上端部および外ケース３の肩部材３ｂとともに一体化されて、上記炊飯器本体４の開口縁部を構成している。
【００３４】
そして、このように第２のワークコイルＬ２を備えた炊飯器本体４の開口縁部に対し、上記開口部１ｂが縮径された飯器１の開口縁部が、その収納セット状態において、図示のような誘導加熱可能な位置関係で対応するようになっている。
【００３５】
一方、蓋ユニット５の非磁性部材である蓋ユニット本体部分は、その外周面を構成する合成樹脂製の外カバー５Ａと、該外カバー５Ａ内側の周方向に凸条の内枠部に対して固定して設けられた合成樹脂製の内カバー５Ｂとから、内部空間５Ｃが中空の断熱構造体に形成されている。
【００３６】
そして、該蓋ユニット本体の上記内カバー５Ｂの下方には、誘導加熱可能な磁性金属材料よりなる放熱板１０が着脱可能に設けられている。また、同蓋ユニット本体を構成する上記外カバー５Ａおよび内カバー５Ｂの中央部には、上下両方向に貫通して調圧口１１が形成され、該調圧口１１に対して図示のようなキャップ構造の大径の調圧ユニット１２が上方側から着脱可能に嵌合されている。また、上記調圧口１１の下部には、上記放熱板１０取付け用の筒部１３が設けられていて、該筒部１３内に上記放熱板１０の中央に設けた相対的に小径の嵌合用筒部１４を相互の間に設けた凸凹部を介して嵌合係止することにより、上記放熱板１０自体が着脱可能な状態で取り付けられている。
【００３７】
一方、上記外カバー５Ａの内枠部と上記内カバー５Ｂとの外周側固定部には、第１のパッキン１５ａの基部が固定されており、上記放熱板１０は、その外周側上面（シール部１０ｂ上面）を同第１のパッキン１５ａによってシールされるようになっている。
【００３８】
該蓋ユニット５の構成において、上記放熱板１０は、上記飯器１の縮径された開口部１ａの口径に対応して若干下方側に突出した放熱部１０ａと、同放熱部１０ａの外周側にあって第２のパッキン１５ｂを介して上記飯器１の開口部１ａの上端を覆う断面逆Ｕ字状のシール部１０ｂと、該シール部１０ｂの外周側にあって上記炊飯器本体４開口縁部の第２のワークコイルＬ２と所定の隙間Ｇを介して対向対面する被誘導加熱部１０ｃとから形成されている。
【００３９】
そして、例えば後述する図４の第２のワークコイル駆動回路により上記第２のワークコイルＬ２が駆動されると、それに対応して上記放熱板１０外周の被誘導加熱部１０ｃが誘導加熱されて発熱し、その熱を上記シール部１０ｂを介して上記放熱部１０ａに伝え、上記放熱部１０ａの全面から飯器１内の飯米に放射する。
【００４０】
他方、上記外カバー５Ａは、その内枠部外周の外周縁部が外径を拡大しながら上記肩部材３ｂの外周面に連続するまで下方に深く延びており、上記第２のワークコイルＬ２部分の外周面を確実にカバーし、上記誘導加熱領域で生じる熱を外部に逃がさないようにしている。
【００４１】
なお、上記炊飯器本体４の前面部上方には、例えば図１に示すような略半月形状の操作パネル部１７が設けられている。該操作パネル部１７には、十分に広く大きな表示面積をもつ液晶表示部１９と、炊飯スイッチ１７ａ、タイマー予約スイッチ１７ｂ、取消スイッチ１７ｃ、保温／再加熱スイッチ１７ｄ、おこげスイッチ１７ｅ、メニュー操作スイッチ１７ｆ、時スイッチ１７ｇ、分スイッチ１７ｈ等の各種操作スイッチ（タッチキーのタッチ部）が設けられている。
【００４２】
（炊飯器本体側制御回路部分の構成）
次に、図４は上述のように構成された炊飯器本体側の炊飯および保温制御用のマイコン制御ユニットを中心とする制御回路部分の構成を示す。
【００４３】
図中、符号３２が炊飯加熱制御手段、保温加熱制御手段、内鍋温度判定手段、内鍋検知手段、ブザー報知手段等を備えた炊飯・保温制御用のマイコン制御ユニット（ＣＰＵ）であり、該マイコン制御ユニット３２はマイクロコンピュータを中心として構成され、例えば内鍋３の温度検知回路部、第１，第２のワークコイル駆動制御回路部、内鍋３の有無検知回路部、発振回路部、リセット回路部、保温ヒータおよび肩ヒータ等駆動制御回路部、ブザー報知部、電源回路部等を各々有して構成されている。
【００４４】
そして、先ず上記飯器（内鍋）１の底壁部１ｂ側センタセンサ部の内鍋温度検知センサＳ、飯器検知スイッチＬＳに対応して設けられた温度検知回路４３および飯器検知回路４４には、例えば上記飯器温度検知センサＳによる飯器１の底壁部３ａの温度検知信号、飯器検知スイッチＬＳによる飯器検知信号がそれぞれ入力されるようになっている。
【００４５】
また、上記第１，第２のワークコイル駆動制御回路部は、それぞれ例えば第１，第２のパルス幅変調回路４１Ａ，４１Ｂ、第１，第２の同期トリガー回路４０Ａ，４０Ｂ、第１，第２のＩＧＢＴ駆動回路４２Ａ，４２Ｂ、第１，第２のＩＧＢＴ３７Ａ，３７Ｂ、第１，第２の共振コンデンサ３８Ａ，３８Ｂ等によって形成されている。そして、上記マイコン制御ユニット３２の第１，第２のワークコイル駆動制御回路部により、上記第１，第２のパルス幅変調回路４１Ａ，４１Ｂを制御することにより、例えば炊飯工程に応じて上記第１，第２のワークコイルＬ１，Ｌ２のワット数および同ワット数でのＯＮデューティー比（例えばｎ秒／１６秒）をそれぞれ適切に変えることによって、炊飯工程の各工程における飯器１の加熱温度と加熱パターンを炊飯量を考慮して適切に可変コントロールし、均一な吸水作用と加熱ムラのない御飯の炊き上げを実現するための適切な加熱出力制御が行われるようになっている。
【００４６】
本実施の形態では、それらの場合において、上記第１，第２のワークコイルＬ１，Ｌ２相互のＯＮ，ＯＦＦパターンは、例えば図６、図７に示すように第１のワークコイルＬ１からＯＮ制御を開始させるとともに、そのＯＮ，ＯＦＦパターンの内のＯＦＦパターンの終了タイミングを基準として第２のワークコイルＬ２のＯＮパターンを設定し、該ＯＮパターンを上記基準とした第１のワークコイルＬ１のＯＦＦパターンに対応させるようにしている。
【００４７】
そして、それによって例えば制御時間の長い通常の加熱出力状態では第１，第２のワークコイルＬ１，Ｌ２を相互に重ならないように駆動することによって、可及的に共振による発振音を低減する一方、炊き上げ工程等の高加熱出力を必要とする工程では、図７のように、出力設定上必要な期間ｔのみ第１，第２のワークコイルＬ１，Ｌ２を重ねて駆動することによって、容易に有効な高加熱出力を得るようにすることができるようにしている。
【００４８】
しかも、それらが各ワークコイルＬ１，Ｌ２の基本とする加熱制御パターンを変更することなく、デューティー比設定用タイマーの設定時間ｎを逆算方向に変えることのみで簡単に実現されるようにしている。
【００４９】
そして、特に大きな加熱出力を必要としない例えば沸とう維持工程のような、制御時間が長く、通常の加熱出力で足りる工程では、図６のように、上記第１，第２のワークコイルＬ１，Ｌ２の相互のＯＮタイミングを重ならせることなく、それぞれのワークコイルＬ１，Ｌ２個々の加熱出力で加熱制御し、可及的に発振音を生じさせないようにしている。
【００５０】
一方、高加熱出力工程では、図７のように、上記第１，第２のワークコイルＬ１，Ｌ２相互のＯＮパターンが所定期間重なるように構成し、上記第１，第２のワークコイルＬ１，Ｌ２各々の加熱出力が相乗した最大許容電力値の範囲内での所望の高加熱出力を得ることが可能となるようにしている。
【００５１】
そして、それらの場合、例えば図６のタイムチャートからも明らかなように、通常の加熱出力工程では、１制御周期１６秒の間で上記第１，第２のワークコイルＬ１，Ｌ２が共にＯＦＦである期間もある。また、第１，第２のワークコイルＬ１，Ｌ２は、例えば逆のタイミングでＯＮからＯＦＦ、ＯＦＦからＯＮに交互に切り換えるようにしてもよい。
【００５２】
また、第１，第２のワークコイルＬ１，Ｌ２は、何れの方からＯＮ制御を開始してもよいが、空炊き検知を優先する上からは、図６、図７に示すように、第１のワークコイルＬ１の方からＯＮ制御を始める方が好ましい。
【００５３】
さらに、保温時にも第１，第２の両ワークコイルＬ１，Ｌ２を使用するようにした場合、もちろん大きな出力はいらないので、必ずしも両ワークコイルＬ１，Ｌ２を重ねてＯＮ制御する必要はないが、例えば再加熱時などには重ねてＯＮ制御するようにしてもよい。
【００５４】
さらに、以上の場合、上記第１，第２のワークコイルＬ１，Ｌ２は、炊飯時には第１のワークコイルＬ１のＯＮ時間の方が長く、保温時には第２のワークコイルＬ２のＯＮ時間の方を長くする。
【００５５】
また同マイコン制御ユニット３２の保温ヒータ駆動制御回路部および肩ヒータ駆動制御回路部により、それぞれ保温ヒータ駆動回路３３および肩ヒータ駆動回路３４を制御することにより、例えば保温又は炊飯加熱工程に応じて上記保温ヒータＨ１、肩ヒータＨ２のＯＮデューティー比（例えばｎ秒／１６秒）をそれぞれ適切に変えることによって、保温又は炊飯加熱工程の各工程における飯器１の加熱温度と加熱パターンとを実際の炊飯量、水量を考慮して適切に可変コントロールするための適切な出力制御が行われるようになっている。
【００５６】
また、符号２２ａ〜２２ｈは上述した各種入力スイッチ部であり、同スイッチの必要なものが適切に操作されると、上記マイコン制御ユニット３２側の認識手段によってユーザーの指示内容が認識され、その認識内容に応じて所望の炊飯又は保温加熱パターンを設定して上記炊飯加熱制御手段又は保温加熱制御手段を適切に作動させて所望の炊飯又は保温を行うようになっている。
【００５７】
したがって、ユーザーは、同入力スイッチ２２ａ〜２２ｈを使用して炊飯又は保温、タイマー予約、予約時刻設定、白米又は玄米、早炊、おかゆ、かため又はやわらかめ、すしめし、炊き込み等の炊き分け、蒸し、通常保温又は低温保温等の各種の炊飯又は蒸し、保温機能の選択設定内容を入力すれば、それに対応した機能内容が当該マイコン制御ユニット３２の上述した認識手段を介して炊飯又は蒸し、保温加熱パターン設定部に自動的に設定入力され、対応する炊飯又は蒸し、保温加熱制御が適切になされる。
【００５８】
さらに、符号１７は炊飯の完了その他を知らせるブザー報知部、２１は液晶表示部である。そして、この実施の形態の場合、上記液晶表示部２１には、上記入力スイッチ２２ａ〜２２ｈのＯＮ操作に対応して所望のメニューや時刻等の必要事項が表示され、以後設定内容に応じた必要な表示（枠囲み等）がなされて行くようになっている。
【００５９】
（炊飯制御）
次に、図５のフローチャートを参照して、上記マイコン制御ユニット３２による炊飯〜保温制御の内容について説明する。
【００６０】
すなわち、該制御は、同図５のフローチャートに示すように、炊飯スイッチ２２ａのＯＮにより同制御をスタートする。
【００６１】
そして、先ずステップＳ１で吸水工程に入り、ステップＳ２で上記第１，第２のワークコイルＬ１，Ｌ２の加熱出力を所定のパワーにセットし、図６のＯＮ，ＯＦＦパターンで吸水温度（４０〜４５℃）まで加熱する。そして、その後、やはり図６のＯＮ，ＯＦＦパターンで若干出力を調整しながら所定の時間内、同吸水温度での吸水加熱が実行される。
【００６２】
次に、同吸水工程が終わると、ステップＳ２に進んで上記第１，第２のワークコイルＬ１，Ｌ２の出力をフルパワーＡ（Ｗ）（ワット数：最大、デューティー比：１６／１６）に設定し、図７のＯＮ，ＯＦＦパターンで昇温加熱を実行する。そして、さらにステップＳ３に進んで、上記温度検知センサＳにより飯器１の温度Ｔを検出し、同温度Ｔが所定の合数判定用基準温度Ｔ１℃以上となっているか否かを判定する。
【００６３】
このステップＳ３の判定の結果、飯器１の温度Ｔが上記合数判定基準温度Ｔ１℃以上とはなっていないＮＯの時は、上記ステップＳ２に戻って上記図７のＯＮ，ＯＦＦパターンのフルパワーＡ（Ｗ）で吸水加熱以後の昇温加熱を継続する一方、ＹＥＳと判定されると、ステップＳ４に進んで、合数判定制御を開始する。
【００６４】
そして、さらにステップＳ５に進んで、再度上記飯器１の温度Ｔを検出し、該検出温度Ｔが合数判定基準温度Ｔ２℃以上となったか否かを判定する。
【００６５】
一方、上記ステップＳ５での判定の結果、ＮＯと判定された未だ飯器１の温度が合数判定基準温度Ｔ２℃以上に達していないときは、同温度Ｔ２℃に達するまで、上記ステップＳ４〜Ｓ５の動作を繰り返す。これに対し、同判定の結果がＹＥＳとなって、合数判定基準温度Ｔ２℃に達すると、上記Ｔ１℃〜Ｔ２℃に到るまでの計数時間を基にして合数の判定を行なう。
【００６６】
そして、さらにステップＳ６，Ｓ１３，Ｓ１５で、上記合数判定の結果が大量、中量、少量の何れかであるかを各々判別して、それぞれステップＳ７，Ｓ１４，Ｓ１５で当該判定された合数の大量、中量、小量に対応して、例えば順次１ランク毎に小さくなるワークコイルＬ２の加熱出力Ｃ（Ｗ），Ｄ（Ｗ），Ｅ（Ｗ）をそれぞれ設定して、続くステップＳ８に進み、上記図７のＯＮ，ＯＦＦパターン、フルパワーで各炊き上げ工程における加熱を実行する。そして、その後、飯器１の温度が沸とう温度１００℃に達したことが検知されると、さらにステップＳ９の沸とう維持工程に移行し、今度は図６のＯＮ，ＯＦＦパターンで沸とう状態に維持する。この結果、やがて御飯が炊き上がる。
【００６７】
そこで、次にステップＳ１０に進んで上記飯器１の温度Ｔが炊き上げ完了温度１３０℃以上になったか、否かを判定した後、ＹＥＳになると、ステップＳ１１の「むらし工程」に移行し（図６のＯＮ，ＯＦＦパターンを使用）、該「むらし工程」が完了すると、さらにステップＳ１２の「保温工程」（図６のＯＮ，ＯＦＦパターンを使用）を経て制御を終了する。
【００６８】
以上のように、本実施の形態の電気炊飯器の構成では、電磁誘導加熱可能な飯器と、該飯器を収納する炊飯器本体と、該炊飯器本体側にあって上記収納された飯器を電磁誘導加熱する複数の電磁誘導加熱手段と、該複数の電磁誘導加熱手段相互を所定のＯＮ，ＯＦＦタイミングで駆動制御する加熱制御手段とを備えてなる電気炊飯器であって、上記複数の電磁誘導加熱手段相互のＯＮ，ＯＦＦパターンは、何れか一つの電磁誘導加熱手段のＯＮ，ＯＦＦパターンの内のＯＦＦパターンの終了タイミングを基準として他の誘導加熱手段のＯＮパターンを設定し、該ＯＮパターンを上記基準としたＯＦＦパターンに対応させるようにしたことを特徴としている。
【００６９】
このような構成によると、例えば制御時間の長い通常の加熱出力状態では複数のワークコイル等電磁誘導加熱手段を相互に重ならないように駆動することによって、可及的に共振による発振音を低減し、一方炊き上げ工程等の高加熱出力を必要とする工程では、出力設定上必要な期間のみ複数のワークコイルを重ねて駆動することによって容易に有効な高加熱出力を得るようにすることが可能となる。
【００７０】
しかも、それらが各電磁誘導加熱手段の基本とする加熱制御パターンを変更することなく、デューティー比設定用タイマーの設定時間を逆算方向に変えることのみで簡単に実現される。
【００７１】
また、以上の構成では、同構成において、通常の加熱出力工程では、上記複数の加熱手段相互のＯＮパターンが重ならないように構成されている。
【００７２】
このように、特に大きな加熱出力を必要としない例えば沸とう維持工程のような、制御時間が長く、通常の加熱出力で足りる工程では、上記複数の電磁誘導加熱手段相互のＯＮタイミングを重ならせることなく、それぞれの電磁誘導加熱手段個々の加熱出力で加熱制御するようにすると、可及的に発振音を生じさせないようにすることができる。
【００７３】
また以上の構成では、それらの構成において、高加熱出力工程では、上記複数の加熱手段相互のＯＮパターンが所定期間重なるように構成される。
【００７４】
そのように構成すると、上記複数の電磁誘導加熱手段各々の加熱出力が相乗した最大許容電力値の範囲内での所望の高加熱出力を得ることが可能となる。
【００７５】
また、以上の構成では、それらの構成において、特に高加熱出力工程が、昇温工程、炊き上げ工程又は再加熱工程等のフルパワー加熱工程であることを特徴としている。
【００７６】
このような吸水加熱工程終了後の昇温工程、炊き上げ工程又は炊飯完了後の再加熱工程では、一般にフルパワーでの高加熱出力が要求される。
【００７７】
したがって、そのような工程では上記複数の電磁誘導加熱手段相互のＯＮタイミングを重ねるようにすると、各電磁誘導加熱手段の出力を効果的に相乗させて必要な高加熱出力を実現することができる。
【００７８】
さらに、以上の構成では、それらの構成において、上記第１，第２のワークコイル等複数の電磁誘導加熱手段は、炊飯器本体の底部にあって飯器の底部を誘導加熱する第１のワークコイルと炊飯器本体の肩部にあって飯器開口縁部部分と内蓋放熱板部分を加熱する第２のワークコイルとからなっている。
【００７９】
このように、上述の複数の電磁誘導加熱手段が、炊飯器本体の底部にあって飯器の底部を誘導加熱する第１のワークコイルと炊飯器本体の肩部にあって飯器開口縁部部分と内蓋放熱板部分を加熱する第２のワークコイルとからなっている場合、それら両ワークコイルは、相互に影響されにくい炊飯器本体の下部と上部の距離的に大きく離れた位置関係のものとなる。
【００８０】
したがって、同構成では、それらを上述のように高加熱出力時に同時にＯＮしたところで、余り影響はなく、大きな発振音は生じないようになる。
【００８１】
以上の結果、本実施の形態の電気炊飯器によると、制御時間の長い通常の加熱出力状態では複数のワークコイル等電磁誘導加熱手段を重ならないように駆動することによって可及的に発振音を低減し、一方炊き上げ工程等の高加熱出力を必要とする工程では、複数のワークコイルを重ねて駆動することによって有効な高加熱出力を得るようにすることができるようになる。
【００８２】
しかも、それらが各電磁誘導加熱手段の基本となる加熱制御パターンを変更することなく、デューティー比設定用タイマーの設定時間を変えることだけで容易に実現される。
【００８３】
また、上述のフルパワー工程等高加熱出力工程は、沸とう維持工程等の通常の加熱出力工程に比べると、トータルの制御時間も短かく、発振音も問題になりにくい。
【図面の簡単な説明】
【図１】本願発明の実施の形態に係る電気炊飯器の炊飯器本体部分全体の構成を示す断面図である。
【図２】同電気炊飯器の炊飯器本体上部部分の拡大断面図である。
【図３】同電気炊飯器の炊飯器本体下部部分の拡大断面図である。
【図４】同電気炊飯器の要部である第１，第２のワークコイル駆動制御回路部分の電気回路図である。
【図５】同電気炊飯器の炊飯〜保温時の制御動作を示すフローチャートである。
【図６】同電気炊飯器の通常の出力の加熱工程における第１，第２のワークコイルのＯＮ，ＯＦＦパターンを示すタイムチャートである。
【図７】同電気炊飯器の高出力の加熱工程における第１，第２のワークコイルのＯＮ，ＯＦＦパターンを示すタイムチャートである。
【図８】従来の電気炊飯器の通常出力の加熱工程における第１，第２のワークコイルのＯＮ，ＯＦＦパターンを示すタイムチャートである。
【符号の説明】
１は飯器、２は内ケース、３は外ケース、３ａはカバー部材、３ｂは肩部材、４は炊飯器本体、５は蓋ユニット、１０は放熱板、３２はマイコン制御ユニット、３７Ａは第１のＩＧＢＴ、３７Ｂは第２のＩＧＢＴ、３８Ａは第１の共振コンデンサ、３８Ｂは第２の共振コンデンサ、３０はブザー、Ｌ１は第１のワークコイル、Ｌ２は第２のワークコイルである。
【図１】
2004236859.tif 000003
【図２】
2004236859.tif 000004
【図３】
2004236859.tif 000005
【図４】
2004236859.tif 000006
【図５】
2004236859.tif 000007
【図６】
2004236859.tif 000008
【図７】
2004236859.tif 000009
【図８】
2004236859.tif 000010